(57)【要約】    本発明は、特に医学的又は栄養生理学的液体用の機械的に作動せしめられる液体ポンプ（１）であって、ハウジング（２）、この中に保持されて液体を蓄えかつ放出するため広げることができる弾性素子（１６）、弾性素子（１６）へ入る液体用の閉鎖可能な入口（２１）、弾性素子から出る液体用の出口（５０）、弾性素子（１６）から出る液体体積流を充分一定に保持しかつ／又は限定する装置を有するものに関する。  本発明によれば、弾性素子が１つの開口（１７ａ）を備えた気球（１６）として構成され、ハウジング（２）内に中核（１１）が支持されて、気球（１６）の開口（１７ａ）を通って気球内へ導入されており、開口（１７ａ）を持つ端部（１７）の範囲において気球（１６）を中核（１１）又はハウジング（２）に取付けて密封する手段（２０）が設けられ、気球（１６）が、比較的応力を除去された状態で、その取付け部から離れた所で中核（１１）に当接している。【選択図】図１
2009502448.tif 000002
【特許請求の範囲】
【請求項１】
特に医学的又は栄養生理学的液体用の機械的に作動せしめられる液体ポンプ（１）であって、ハウジング（２）、この中に保持されて液体を蓄えかつ放出するため広げることができる弾性素子（１６）、弾性素子（１６）へ入る液体用の閉鎖可能な入口（２１）、弾性素子から出る液体用の出口（５０）、弾性素子（１６）から出る液体体積流を充分一定に保持しかつ／又は限定する装置（３２，５３）を有するものにおいて、
弾性素子が１つの開口（１７ａ）を備えた気球（１６）として構成され、
ハウジング（２）内に中核（１１）が支持されて、気球（１６）の開口（１７ａ）を通って気球内へ導入されており、
開口（１７ａ）を持つ端部（１７）の範囲において気球（１６）を中核（１１）又はハウジング（２）に取付けて密封する手段（２０）が設けられ、
気球（１６）が、比較的応力を除去された状態で、その取付け部から離れた所で中核（１１）に当接している
ことを特徴とする、ポンプ。
【請求項２】
気球（１６）がシリコーンから成っていることを特徴とする、請求項１に記載のポンプ。
【請求項３】
気球（１６）が、中核（１１）の縦軸線に対して垂直な第１の伸び方向（Ｘ）において比較的厚い壁部分（３０）を持ち、中核（１１）の縦軸線に対して直角で第１の伸び方向（Ｘ）に対して直角な第２の伸び方向（Ｙ）において比較的薄い壁部分（３１）を持っていることを特徴とする、請求項１又は２に記載のポンプ。
【請求項４】
気球（１６）が、液体を満たされた状態で扁平な形状を持っていることを特徴とする、請求項１〜３の１つに記載のポンプ。
【請求項５】
ハウジング（２）にフード（２９）が結合可能であり、特に中核の縦軸線に対して直角な断面を腎臓状に形成されるフードが結合可能であることを特徴とする、請求項１〜４の１つに記載のポンプ。
【請求項６】
フード（２９）の幅対高さ比が比較的大きくなるべく１．５：１〜３：１特に約２：１であることを特徴とする、請求項５に記載のポンプ。
【請求項７】
中核（１１）が回転対称特に円筒状に形成され、中核を通路（１３，１４）が貫通して、入口及び出口の構成部分を形成していることを特徴とする、請求項１〜６の１つに記載のポンプ。
【請求項８】
通路（１３，１４）が、中核（１１）をその縦中心軸線及びその半径方向において貫通していることを特徴とする、請求項７に記載のポンプ。
【請求項９】
気球（１６）が、応力を除去された状態で、中核（１１）の形状に実質的に一致する形状及び中核（１１）の寸法に実質的に一致する寸法を持ち、特に実質的に回転対称に形成されていることを特徴とする、請求項１〜８の１つに記載のポンプ。
【請求項１０】
中核の長さ対直径比が３：１〜８：１特に５：１〜６：１であることを特徴とする、請求項１〜９の１つに記載のポンプ。
【請求項１１】
気球（１６）が１５〜１５０ｍｌの収容能力を持っていることを特徴とする、請求項１〜１０の１つに記載のポンプ。
【請求項１２】
気球（１６）が射出成形により製造されていることを特徴とする、請求項１〜１１の１つに記載のポンプ。
【請求項１３】
気球（１６）が完全に中核（１１）に当接可能であることを特徴とする、請求項１〜１２の１つに記載のポンプ。
【請求項１４】
気球（１６）を取付けて密封する手段がスリーブ（２０）として構成され、中核（１１）上へ気球（１６）をはめる際、スリーブ（２０）が気球をスリーブ（２０）と中核（１１）との間に締付けることを特徴とする、請求項１〜１３の１つに記載のポンプ。
【発明の詳細な説明】
【技術分野】
【０００１】  本発明は、特に医学的又は栄養生理学的液体及び生物学的及び実験室分野における液体用の機械的に作動せしめられる液体ポンプであって、ハウジング、この中に保持されて液体を蓄えかつ放出するため広げることができる弾性素子、弾性素子へ入る液体用の閉鎖可能な入口、弾性素子から出る液体用の出口、弾性素子から出る液体体積流を充分一定に保持しかつ／又は限定する装置を有するものに関する。
【背景技術】
【０００２】  医学的、栄養生理学的又は生物学的液体又は実験室分野における液体の供給に関連して、異なる形式の液体ポンプが使用される。例えば電気エネルギ、電気化学、ガス、機械、電気機械及び機械−物理的に作動せしめられるポンプが公知である。これらのポンプの多くは一般に長い始動時間後にのみ使用可能であり、使用者及び消費者にしばしば不充分な計量精度しか与えない。更に公知のポンプシステムは費用がかかり、生態学的観点からあまり有利ではない。これらのシステムはしばしば使用者により携行可能には利用されない。【０００３】  機械的に作動せしめられる液体ポンプは、一般に簡単に形成できる駆動装置である点ですぐれている。即ち異なる実施形態が公知になっており、液体を蓄えかつ放出するため広げることができる弾性素子が使用される。【０００４】  特に医学的又は栄養生理学的液体用の機械的に作動せしめられる液体ポンプは、欧州特許第０９４４４０５号明細書から公知である。このポンプでは、広げることができる弾性素子はホースとして構成されている。このホースは、端部の範囲を固定端部キャップにより閉鎖されている管内に設けられている。この端部キャップ内に、ホースがその解放端部を密封されて支持されている。ホース端部へ導管が導入されて、端部キャップを貫通している。この端部キャップから離れている所で、管に別の端部キャップが移動可能に支持されて、ホースをその他方の開放端部の範囲で受入れている。そこでホースが適当に支持され、それによりこの移動する端部キャップ内で密封され、この端部キャップを通して導管が差込まれて、ホースへ導入される。可動端部キャップに付属する導管には弁が付属し、この弁を通って液体がホースへ流入でき、その際ホースが伸ばされて、管の内壁に当接する。ホースが伸びるため、可動端部キャップも固定端部キャップから離れるように動く。半径方向内方へ作用するホースの弾性戻り力を受けて、液体が固定端部キャップに付属する導管を通って患者へ放出される。【０００５】  機械的に作動せしめられる液体ポンプのこのような構成は費用がかかる。なぜならば、弾性素子がホース内に使用され、従ってホースが直径上にある２つの開口を持ち、これらの開口に別個の導管、即ち入口の機能を持つ導管と出口の機能を持つ導管が付属している。これを別として、ホースにより液体がホースから完全には放出されず、従って患者に完全には供給されない。なぜならば液体の放出の結果患者へホース壁が次第に近づくにつれて、ホースの弾性戻し力が小さくなるからである。最後にホースが半径方向外方へ均一に伸びて、管の内壁に当接する。管の所定の回転対称な構成のため、幅の奥行き方向にポンプの不利な寸法が規定されている。従ってホースのような弾性素子の構成のため、扁平なポンプは構成不可能である。ホースの密封は２個所で行なわねばならないので、費用がかかる。【０００６】  機械的に作動せしめられる同じような構成の液体ポンプは、欧州特許第０４２４９９４号明細書に記載されている。【０００７】  特に医学的又は栄養生理学的液体用の機械的に作動せしめられる公知の液体ポンプでは液体を収容するために袋が使用され、袋に接続される導管が、この袋内にある液体を袋から放出するために用いられる。袋は、液体をこれから放出するため袋に押圧力を及ぼす装置と共同作用する。この装置は、袋側に作用する弾性素子及び袋の反対側に作用する別の素子を持っている。このような液体ポンプはドイツ連邦共和国特許出願公開第１９９２８１３１号明細書に記載されている。この作用原理に基く類似の機械的に作動せしめられる液体ポンプは、ドイツ連邦共和国特許出願公開第１００６３９７５号及び第１００５８１２１号明細書に記載されている。【０００８】  ドイツ連邦共和国特許出願公開第２７０１１００号明細書に記載されているポンプは、特にクロマトグラフィーの分野において使用される。このポンプにおいて液体例えば溶離媒体は圧縮ガスの供給により押出される。ポンプはホース状膜の形の可撓容器を持ち、この容器の一端がねじクリップで密封されている。管がホースを密封して包囲し、それにより管とホースとの間に空間が形成されている。クロマトグラフィーに使用する場合、この空間へ導入される窒素がホースを圧縮し、その際溶離媒体の全部又は一部が押出され、クロマトグラフィーカラムに押し通される。
【発明の開示】
【発明が解決しようとする課題】
【０００９】  本発明の課題は、最初にあげた種類の機械的に作動せしめられる液体ポンプを発展させて、ポンプの駆動装置の簡単な構成で液体の完全な放出が保証されるようにすることである。
【課題を解決するための手段】
【００１０】  最初にあげた種類の液体ポンプにおいて、この課題は次の特徴によって解決される。即ち
弾性素子が１つの開口を備えた気球として構成され、
ハウジング内に中核が支持されて、気球の開口を通って気球内へ導入されており、
開口を持つ端部の範囲において気球を中核又はハウジングに取付けて密封する手段が設けられ、
気球が、比較的応力を除去された状態で、その取付け部から離れた所で中核に当接している。【００１１】  本発明により機械的に作動せしめられる液体ポンプの駆動装置は、弾性素子が気球として構成されていることによって、特にすぐれている。従ってただ１つの開口を備えている弾性素子が重要である。そのためこの開口は液体用の入口としてまた出口としても役立つ。別の特徴は、気球の開口を通ってこの中へ導入される中核が気球と共同作用することである。気球は、比較的応力を除かれた状態で中核に当接している。これは、気球が若干の初応力で中核に当接可能なことを意味する。なぜならば、気球の完全な排出が望ましいからである。気球は、その開口を持つ端部の範囲においてのみ取付けられかつ密封される。これはなるべく中核のすぐ近くで行なわれる。ナウジングへの気球の取付け及び密封も考えられる。【００１２】  気球は、基本的に液体を蓄えかつ放出するのに必要な弾性を持つあらゆる材料から形成することができる。シリコーンが好ましい材料とみなされる。特に気球の１０ｍｌ〜１５０ｍｌの収容能力が考えられる。【００１３】  液体ポンプにおいて、これを比較的扁平に構成することが特に重要とみなされる。なぜならば、液体ポンプは一般に患者の体に直接保持されるからである。円形直径を持つ液体ポンプはこの観点からあまり有利でない。【００１４】  気球の膨張をなるべく幅方向に行い、その高さ方向にはあまり行なわないようにするため、本発明の展開によれば、気球が、中核の縦軸線に対して垂直な第１の伸び方向において比較的厚い壁部分を持ち、中核の縦軸線に対して直角で第１の伸び方向に対して直角な第２の伸び方向において比較的薄い壁部分を持っている。これは、気球が薄い壁部分の範囲で一層強く変形し、それにより素子の膨張の際、ほぼ楕円の形状に近い断面形状が生じることを意味している。気球は特に射出成形により製造されている。【００１５】  本発明の展開によれば、ハウジングにフードが結合可能であり、特に中核の縦軸線に対して直角な断面を腎臓状に形成されるフードが結合可能である。フードの腎臓状形成により、フードはポンプを保持する者の腰の範囲で身体輪郭に有利に密着する。異なる厚さの壁部分を持つように形成される気球は、膨張の際、薄壁に形成される腎臓状フードの内側輪郭にほぼ従う。気球に液体を充分充填すると、気球はフードの内壁に当接することができる。フードの幅対高さ比は比較的大きくなるべく１．５：１〜３：１特に約２：１である。フードはハウジングになるべく分離不可能にクリップ止め可能である。【００１６】  好ましい構成では、中核が回転対称特に円筒状に形成されている。従って中核は。ハウジングへの結合範囲における万一の肉厚部を別として、不変な直径を持っている。それに応じて気球は、応力を除去された状態で、中核とは無関係に位置せしめられている時、同様に円筒形状を持ち、円筒の直径は、気球が比較的応力を除去された状態で当接する中核の範囲に関して、中核の直径より小さい。気球が中核に完全に当接可能であり、従って気球と中核との間に液体が存在しないと、特に有利とみなされる。【００１７】  液体を気球へ導入しかつ液体を気球から放出するため、中核を異���るように形成することができる。入口及び出口の構成部分を形成する通路が中核を貫通しているのがよい。通路は、中核を特にその縦中心軸線及びその半径方向において貫通している。縦軸線に沿って延びる通路の範囲から始まって、液体はこの通路の半径方向部分へ達し、それによりこれらの軸線方向及び半径方向に延びる通路部分を経て、気球の内部への接続が保証されている。中核の長さ対直径比は３：１〜８：１特に５：１〜６：１である。【００１８】  気球を取付けて密封する手段がなるべくスリーブとして構成され、中核上へ気球をはめる際、スリーブが気球をスリーブと中核との間に締付ける。【００１９】  本発明のそれ以外の特徴は、従属請求項、図の説明及び図自体に示されており、すべての個別特徴及び個別特徴のすべての組合せが本発明にとって重要であることを注記しておく。【００２０】  図には本発明の実施例が示されているが、本発明はこれには限定されない。
【発明を実施するための最良の形態】
【００２１】  図１に示されて機械的に作動せしめられる液体ポンプ１は、特に医学的又は栄養生理学的液体の投与特に液状薬剤の投与に用いられる。【００２２】  ポンプ１は、複数部分即ち中間部３、これと共同作用する上部４及び下部５、上部と共同作用する上殻６、及び下部５と共同作用する下殻７により形成されるハウジング２を持っている。【００２３】  中間部３は、その上側に、中間部３の自由縁の方へ開いた半円形断面の凹所８を備え、上部４は対応する縁範囲でその下側に同じ半円形凹所を備えている。中間部３に上部４が結合されると、両方の凹所８及び９が中核１１の円錐状に広がる端部範囲１０を受入れる円形断面を形成する。中核１１は、その端部範囲１０を除いて一定の外径を持っている。中核１１のこの円筒状部分は符号１２で示されている。中核１１をその縦中心軸線に沿って通路１３（図２参照）が貫通し、この通路１３から半径方向に中核１１を通って延びる複数の通路１４が、円筒状部分１２の範囲で分岐している（図６）。中核１１の外周の範囲において、半径方向通路１４が中核１１の環状溝１５に通じている。【００２４】  中核１１と共同作用する弾性素子は、シリコーンから成る気球１６として構成されている。この気球は射出成形法で製造されている。気球は、中核１１の端部範囲１０に応じて、円錐状に広がって開口１７ａを有する端部範囲１７と、中核１１の部分１２の外側形状に一致する部分１８とを持ち、この部分１８は、端部範囲１７とは反対側にあって気球に規定されて閉じている端部範囲１９へ通じている。【００２５】  中核１１及び気球１６の寸法は、図２からわかるように、中核１１上にはめられる気球が中核１１に完全に当接し、従って気球の端部範囲１７が中核の端部範囲１０に接触し、気球１６の部分１８が中核１１の部分１２に接触し、最後に気球１６の端部範囲１９が中核１１の自由端面に当接するように、設定されている。中核１１に関して気球１６の寸法は、気球１６が比較的僅かな初応力で従って応力を除かれた状態で中核１１に当接するように、選ばれている。【００２６】  気球１６の端部範囲１７を中核１１の端部範囲１０に取付けるため、気球１６の端部範囲１７の外側にはめられる締付け環２０が設けられている。こうして得られる形成物が締付け環２０を中間部３の凹所８へ挿入され、続いて上部４が中間部３と結合され、それにより締付け環２０従って中核１１及び気球１６が、中間部３及び上部４の凹所８及び９内に固定的に保持される。凹所８及び９は、締付け環２０の確実な保持を保証するため、中間部３及び上部４のそれぞれの自由縁から離れる方向に広がる締付け環２０用円錐状受入れ部を持っている。【００２７】  中間部３、上部４及び下部５はポンプ１の別の機能素子の受入れに役立つ。【００２８】  上部４にはルエルロック（ＬｕｅｒＬｏｃｋ）弁２１が接続されて、上部４にある開口２２を貫通し、以下図２の関連する説明かつわかるように、ルエルロック弁ケース２３とルエル弁芯２４を持っている。通路２５を介してルエルロック弁２１が、上部４と中間部３との間に形成されて中核１１を貫通する通路１３と接続されている通路２６に接続されている。【００２９】  ルエルロック弁２１及び通路２５，２６を通って、ポンプが液体を充填される。図２に示す充填されない状態から始まって、液体の増大する供給と共に、締付け環２０により締付けられていない範囲において気球が伸び、完全な充填の際図３に示す最終形状をとる。液体の占める空間は、そこに符号２７で示されている。図２，３及び５〜１２からわかるように、気球１６は、液体を充填する際中核１１に当接する初期状態から始まって、その形状を中核の縦方向及びその横方向即ち第１の横方向及びこれに対して直角な第２の横方向に変化する。【００３０】  上部４及び下部５は、断面をほぼ腎臓状に形成されるフード２９の受入れに役立つ係止突起２８を備えている。このフード２９は、図９からわかるように、高さ方向より著しく大きい幅方向に延びている。幅対高さ比は例えば２：１である。フード２９の長さ対高さ比は、例えば図２からわかるように約２．５：１である。フード２９はなるべく分離不可能にハウジング２にクリップ止めされている。気球１６が液体を完全に充填されると、この気球はフード２９の内部空間のできるだけ多くを占める。【００３１】  このため中核１１に当接する気球１６について図１１からわかるように、気球１６は、中核１１の縦軸線に対して直角な第１の伸び方向Ｘにおいて比較的厚い壁部分３０を持ち、中核１１の縦軸線に対して直角でかつ第１の伸び方向Ｘに対して直角な第２の伸び方向Ｙにおいて比較的薄い壁部分３１を持っている。その結果気球１６は、その空間２７へ液体を入れる際、優先的に伸び方向Ｘに伸びようとし、それにより図９に示すように伸びた長円形の断面形状が生じる。全体としてポンプ１は、体に好都合に保持される扁平な機能部分として現われ、気球１６は、液体を充填された状態で、ポンプ１の外側輪郭に合わされた同様に扁平な形状をとる。【００３２】  通路２６及び１３は、ルエルロック弁２１から気球１６への液体の供給に役立つだけでなく、気球１６の内部から患者への液体の放出にも役立つ。即ち通路２６は、通路２５の入口個所を越えて、中間部３及び上部４に支持されて気球１６から放出される液体の体積流を限定する弁３２の所へ延長されている。この弁３２は、縁側を中間部３と上部４との間に保持される弾性弁膜３３、この弁膜と共同作用する弁芯３４、弁膜３３及び上部４に支持される圧縮ばね３５、及び上部４の雌ねじ内に支持されて弁膜３３と作用結合可能な調節ねじ３６により形成されている。【００３３】  図１３の詳細図からわかるように、通路２６は半径方向に伸びる弁膜３３の通路３７へ通じ、そこから弁芯３４の軸線方向通路３９へ通じる弁芯３４の半径方向通路３８へ通じている。この軸線方向通路３９は、弁膜３３の厚くされた部分４０に面する端部の範囲で開くように構成されている。弁閉鎖素子の機能を持つ部分４０の通路３９とは反対の側には、調節ねじ３６として構成されるストッパが設けられている。基本的にこのストッパは固定的であってもよい。弁膜３３の突起４１の間で、弁芯３４が弁膜３３に対して軸線方向に移動しないように保持され、更に弁膜に対して回らないように保持されている。【００３４】  弁３２は、高すぎる圧力がかかると、体積流を遮断するのに役立つ。この弁には２つの分離した室４２��び４３が形成され、弁芯３４を貫通して通路３９に対して設けられる通路４４を介してこれらの室４２，４３が互いに接続されている。流れ方向において入口従って通路２６の方にある室４２は遮断室として役立つ。室４３は流れ方向において出口４５の方にある。弁３２を通って放出される液体を濾過するため、フィルタ４６が設けられて、中間部３と下部５との間に締付けられている。室４３及び出口４５から出て液体は、出口４５と流れ接続される通路４７（図５）へ達し、そこから中間部３と下部５との間に保持されるルエルロック接続部４８へ達する。このルエルロック接続部４８に、患者へ至るホース５０を備えたルエルロックコネクタ４９が接続可能である。【００３５】  図５からわかるように、通路４７へガラス毛細管５３が挿入されている。この毛細管５３は流量限定器であって、ポンプから通路を通って出る体積流を限定することができる。なぜならば、流量限定器は入口にある通路４７より小さい断面を持っているからである。異なる流量限定器の選択により、入口にかかる圧力が特定の値を下回らない限り、種々の一定な流量の設定が可能である。基本的に入口流通断面が出口の流通断面より大きいように考慮されている。もちろんガラス毛細管とは異なるように流量限定器を構成することができる。弁の後でポンプの出口に、例えば流量を限定する蛇行チップを設けることも考えられる。【００３６】  気球１６の空間２７を弁３２に接続する通路の上述した直径及び弁３２の後に設けられて流量限定器５３を持つ通路の直径のため、流量限定器５３を持つ通路４７がハウジング２からの液体の流出に及ぼす抵抗は、弁３２へ流入する際液体に及ぼされる抵抗より大きい。【００３７】  初期状態で弁膜３３は図１３に示す位置にあり、この位置で弁膜３３は、圧縮ばね３５の作用を必要とすることなく、中間部３に充分当接している。弁膜３３の部分４０に対する弁芯３４の位置のため、部分４０と弁芯３４の環状突起５４との間に僅かな間隙が存在する。この突起５４は通路３９を包囲している。従って液体は中核１１の通路１３及びそれに続くハウジング側通路２６を経て弁膜３３の通路３７へ流れ、そこから弁芯３４の通路３８及び３９へ流れる。弁芯３４の通路３９から液体は、突起５４と弁膜３３の部分４０との間に形成される間隙を通って、そこにある室４２へ流入し、室４２から通路４４を経て室４３へ流れ、フィルタ４６を通過し、出口４５を経て流量限定器５３を持つ通路４７へ達する。流量限定器５３のためポンプから大きい体積流が流出することなしに、入口従って通路３９にも一層高い流体圧力が現れると、それにより中間部３と上部４との間の縁範囲に締付けられている弁膜３３が、中心範囲でストッパ機能を持つ調節ねじ３６の方へ、圧縮ばね３５の力に抗して変形する。弁膜３３の部分４０がこの部分４０に近い方にある調節ねじ３６の突起５５へ達すると、それにより、部分４０がそこで調節ねじ３６に接触し、弁膜３３は更に上方へ上殻の方へ動くことができないので、部分４０は弁芯３４の突起５４へ押付けられ、それにより通路３９を通る流れを遮断する。流量限定器５３を通って液体が流出する際、室４３の圧力が低下するので、弁膜３３はその固有弾性の��め再び図１３に示すその初期位置の方へ再び戻り、それにより部分４０は調節ねじ３６と接触しなくなり、突起５４と部分４０との間の流通間隙が再び開かれる。気球１６内に存在する圧力に関して、この状態が、図１３に示す初期位置へ弁膜３３の到達する際初めて、又はそれより早く従って弁膜３３のまだ撓んでいる場合に、起こることができる。調節ねじ３６が弁膜３３の調節行程を大きく可能にするほど、弁内の二次圧力がそれだけ大きくなる。基本的に圧縮ばね３５を設けることは必要でない。それは、ポンプ１により一層高い圧力を制御せねばならず、従って弁膜３３の弾性戻り特性がこの弁膜を図１３の初期位置へ移行させるのに十分でない場合に、有利である。【００３８】  従って弁３２より、液体の体積流が気球１６内の圧力に関係して限定され、流量限定器５３を介して液体体積流が充分一定に保たれる。弾性素子から放出される液体体積流を充分一定に保持する装置、又は弾性素子から放出される液体体積流を限定する装置のみが設けられているように、液体ポンプを変更することもできるであろう。【００３９】  機械的に作動せしめられる液体ポンプを使用する前に、液体がルエルロック弁２１を通して供給され、それにより液体が気球１６内へ達し、気球の充填状態が、透明なフード２９を通して、フードの横方向に設けられている標識５１により読み取られ、この標識が気球の充填に応じてこの気球の横方向伸びの基準となる。ポンプ１の充填とホース５０を介して患者へのポンプの接続後、広げられる気球１６の弾性初応力の作用で、液体が弁３２を経てポンプから放出され、しかも気球が残りなく空にされて中核１１に当接するまで放出される。【００４０】  上述した液体ポンプの特に簡単な構成により、このポンプは多様な使用可能性を与える。使用者は、どこでも直ちに長い始動時間なしにポンプを使用することができる。液体ポンプは使用者により持ち運び可能であり、病院外のすべての普通の生活領域及び病院内で静的にも使用可能である。ポンプは殺菌して使用可能であり、最小の取扱い費用を保証する。ポンプは、少数の部品の簡単な構造のため安価に製造可能である。これは、ポンプを特に財政上弱体な移動市場で使用できるための前提条件である。ポンプの少ない重量は事故、緊急医療、病院及び大災害の分野における使用を可能にする。ポンプの機能素子は個々に又は全部交換可能である。ポンプは、例えば１時間当たり２．５ｍｌの流量のため２５ｍｌの収容能力従って１０時間の作動時間を持つ気球において、短いか又は長い供給時間に適している。異なる容積例えば１０ｍｌ，５０ｍｌ，１００ｍｌ又は１５０ｍｌを持つ別の気球を使用することもできる。作動時間は著しく長く例えば２４時間であってもよい。１時間当たり１０００ｍｌ以上の流量も考えられるけれども、１時間当たり０．５〜１０ｍｌの流量が好ましい使用範囲とみなされる。【００４１】  実施例によれば、薬液用貯蔵容器及び圧力溜めとして射出成形により製造される気球が説明される。気球は、扁平なハウジング空間を満たしかつ圧力ピークを回避するため、所定の断面及び伸び輪郭を持っている。気球は、戻し力を高めるため、１つ又は複数部分から成る中核を介して半径方向及び／又は軸線方向に初応力をかけられている。気球は、一端で中核を介して締付け環により固定的にはまり合いで気密に閉鎖される。気球は、充填又は排出中に軸線方向及び半径方向に自由に可動であり、その際弾性変形可能でフード内を摩擦なしに動くことができる。【００４２】  ポンプ１は更にボーラス溜めを備えることができる。図１にはこのようなボーラス溜めが符号５２で示されている。必要な場合ポンプを改造することができる。【００４３】  図１４は、前述した機械的に作動せしめられる液体ポンプの作用原理を、物理量を記載して示している。鎖線でポンプの輪郭を示している。
【図面の簡単な説明】
【００４４】
【図１】  本発明により機械的に作動せしめられる液体ポンプの分解図を示す。
【図２】  図１に示すポンプの垂直縦断面図を気球が中核に当接した状態で示す。
【図３】  図２による断面図を気球が液体を充填された状態で示す。
【図４】  図１に示すポンプの垂直断面図をポンプの縦中心軸線から離れた所でポンプの弁の範囲において示す。
【図５】  図１に示すポンプをその弁の範囲で横断した断面図で示す。
【図６】  図１に示すポンプの水平縦断面図を気球が中核に当接した状態で示す。
【図７】  図６による断面図を気球が液体を満たされた状態で示す。
【図８】  ポンプを中核の支持範囲で横断した断面図を示す。
【図９】  中核の支持されない部分及び液体を満たされた気球の範囲で横断したポンプの断面図を示す。
【図１０】  中核、気球及び気球と中核を結合する締付け環の拡大断面図を気球が中核に当接した状態で示す。
【図１１】  中心の縦軸線に対して直角に中核及び気球を横断した断面図を気球が中核に当接した状態で示す。
【図１２】  気球の断面形状が変わっている図１１の断面図を示す。
【図１３】  図４に示す弁の拡大断面図を示す。
【図１４】  機械的に作動せしめられる液体ポンプの作用原理を物理量と共に示す図を示す。
【図１】
2009502448.tif 000003
【図２】
2009502448.tif 000004
【図３】
2009502448.tif 000005
【図４】
2009502448.tif 000006
【図５】
2009502448.tif 000007
【図６】
2009502448.tif 000008
【図７】
2009502448.tif 000009
【図８】
2009502448.tif 000010
【図９】
2009502448.tif 000011
【図１０】
2009502448.tif 000012
【図１１】
2009502448.tif 000013
【図１２】
2009502448.tif 000014
【図１３】
2009502448.tif 000015
【図１４】
2009502448.tif 000016
【国際調査報告】
2009502448.tif 000017
2009502448.tif 000018
2009502448.tif 000019
2009502448.tif 000020
2009502448.tif 000021
2009502448.tif 000022